(57)【要約】【課題】良好な音響特性を有する楽器用振動板を容易かつ安価に得られるようにする。【解決手段】板材２の一方の面２ａあるいは両方の面２ａ，２ｂに、板材２の曲げ剛性の異方性が変化するように複数の溝部３を並べて形成した楽器用振動板１を提供する。複数の溝部３が両方の面２ａ，２ｂに形成される場合には、一方の面２ａに形成される溝部３と、他方の面２ｂに形成される溝部３とを、互いに複数の溝部３の配列方向にずらして位置させる。【選択図】図３
2016173431.tif 000002
【特許請求の範囲】
【請求項１】
板材の少なくとも一方の面に、前記板材の曲げ剛性の異方性が変化するように複数の溝部を並べて形成した楽器用振動板を備える楽器。
【請求項２】
複数の前記溝部が、前記板材の両方の面に形成される請求項１に記載の楽器。
【請求項３】
一方の面に形成される前記溝部と、他方の面に形成される前記溝部とが、互いに複数の前記溝部の配列方向にずれて位置する請求項２に記載の楽器。
【請求項４】
前記板材が、等方性材料からなる請求項１から請求項３のいずれか一項に記載の楽器。
【請求項５】
複数の前記溝部が、前記面の一部領域にのみ形成されている請求項１から請求項４のいずれか一項に記載の楽器。
【請求項６】
請求項１から請求項５のいずれか一項に記載の楽器が、弦を備えるギターであり、
前記溝部が、前記弦の長手方向に延びているギター。
【発明の詳細な説明】
【技術分野】
【０００１】
本発明は、楽器及びギターに関する。
【背景技術】
【０００２】
アコースティックギター、グランドピアノ、アップライトピアノ等のアコースティック楽器は、表板や響板などのように、振動することで音の放射に寄与する楽器用振動板を備える。
楽器用振動板の音響特性を決める要因の一つとして、楽器用振動板の異方性が知られている。例えば非特許文献１には、アコースティックギターの表板の異方性の大きさが、アコースティックギターの音響特性に影響する旨が記載されている。
【先行技術文献】
【非特許文献】
【０００３】
【非特許文献１】アコースティック・ギター・マガジン、日本、リットーミュージック、2011年9月号 SUMMER ISSUE Vol.49、p. 69、85
【発明の概要】
【発明が解決しようとする課題】
【０００４】
音響特性が良好である表板等の楽器用振動板は木製であることが多いが、このような木材資源には限りがある。このため、従来では、良好な音響特性を有する楽器用振動板の入手が困難である。また、良好な音響特性を有する楽器用振動板は高価である。
【０００５】
本発明は、上述した事情に鑑みてなされたものであって、容易かつ安価に良好な音響特性を得ることが可能な楽器用振動板を備える楽器及びギターを提供することを目的とする。
【課題を解決するための手段】
【０００６】
上記課題を解決するために、本発明の楽器用振動板は、板材の少なくとも一方の面に、前記板材の曲げ剛性の異方性が変化するように複数の溝部を並べて形成したことを特徴とする。
【発明の効果】
【０００７】
本発明によれば、板材のうち複数の溝部の延在方向及び板厚方向に直交する方向の曲げ剛性（直交方向の曲げ剛性）を低下させることができる。これにより、板材の曲げ剛性の異方性を容易に変えることができるため、良好な音響特性を有する楽器用振動板を容易かつ安価に得ることが可能となる。
【図面の簡単な説明】
【０００８】
【図１】本発明の一実施形態に係るアコースティックギターを示す正面図である。
【図２】図１のアコースティックギターの要部を示す拡大断面図である。
【図３】図１のアコースティックギターの要部の変形例を示す拡大断面図である。
【図４】等方性材料からなる楽器用振動板の比曲げ剛性と異方性との関係を示すグラフである。
【図５】図１のアコースティックギターの変形例を示す正面図である。
【発明を実施するための形態】
【０００９】
以下、図１，２を参照して本発明の一実施形態について説明する。
図１，２に示すように、この実施形態に係る楽器用振動板１は、アコースティック楽器の一種であるアコースティックギター１０に設けられている。
アコースティックギター１０（以下、単にギター１０と呼ぶ。）は、胴部１１を有する。本実施形態の楽器用振動板１は、胴部１１の表板１２として構成されている。表板１２には、これを貫通する響孔１３（サウンドホール）が形成されている。表板１２の外面１２ｂには、ブリッジ１４及びサドル１５が順次重ねて設けられている。サドル１５はギター１０の弦１６を支持する。弦１６の振動はサドル１５及びブリッジ１４を介して表板１２に伝達される。これにより、表板１２が振動すると共に胴部１１内の空気が共鳴し、音が響孔１３から外部に放射される。
本実施形態の表板１２は、木製である。表板１２は、例えば一枚の木製板材（単板材）であってもよいが、例えば複数枚の木製板材を重ね合せた合板材であってもよい。
【００１０】
表板１２（楽器用振動板１）を構成する板材２の一方の面２ａ（主面２ａ）には、複数の溝部３が形成されている。本実施形態において、板材２の他方の面２ｂ（主面２ｂ）には溝部３が形成されていない。各溝部３は、一方の面２ａから窪んで形成され、板材２の面２ａ，２ｂに平行する面内において一方向に延びている。本実施形態において、各溝部３は一方向（Ｘ軸方向）に直線状に延びている。各溝部３の延在方向に直交する溝部３の断面形状は、例えば図２のようにＶ字状であってもよいが、例えばＵ字状、円弧状、台形状、階段状など任意であってよい。
【００１１】
複数の溝部３は、互いに交差しないように一方の面２ａに並べられている。複数の溝部３は、各溝部３の延在方向、及び、板材２の板厚方向（Ｚ軸方向）に直交する方向（Ｙ軸方向；以下、直交方向と呼ぶ。）に配列されている。複数の溝部３は、例えば互いに平行しなくてもよいが、本実施形態では互いに平行している。
これにより、板材２においては、溝部３を形成しない場合と比較して、複数の溝部３の配列方向（Ｙ軸方向）の曲げ剛性が低くなる。すなわち、板材２の曲げ剛性の異方性（以下、板材２の異方性と呼ぶ。）が変化する。複数の溝部３は、例えば隙間なく配列されてもよいが、本実施形態では隙間をあけて配列されている。また、複数の溝部３は、例えば図２のように等しい間隔で配列されてもよいが、これに限ることはない。本実施形態において、複数の溝部３は、板材の一方の面２ａ全体に形成されている。
【００１２】
また、各溝部３は、例えば弦１６の直交方向（Ｙ軸方向）に延びてもよいが、本実施形態では弦１６の長手方向（Ｘ軸方向）に延びている。すなわち、各溝部３の延在方向は、例えば弦１６の長手方向（ギター１０のネックの長手方向）に平行する。
図２に例示する本実施形態のギター１０では、複数の溝部３が表板１２の内面１２ａのみに形成されているが、例えば表板１２の外面１２ｂのみに形成されてもよい。
【００１３】
本実施形態の楽器用振動板１によれば、板材２のうち複数の溝部３の延在方向及び板厚方向に直交する方向の曲げ剛性（直交方向の曲げ剛性）を低下させることができる。これにより、板材２の異方性を容易に変えることができるため、良好な音響特性（例えば、音量、サステイン（音の伸び）、周波数特性など）を有する楽器用振動板１を容易かつ安価に得ることが可能となる。また、楽器用振動板１を備えるギター１０等の楽器を安価に提供できる。
【００１４】
また、本実施形態の板材２は木製であるため、複数の溝部３を形成することで、板材２の異方性を適切に調整することができる。したがって、溝部３を形成する前の板材２が安価な単板材や合板材であっても、良好な音響特性を有する楽器用振動板１として使用することができる。
【００１５】
以下、木製の板材２（以下、木製板材２と呼ぶ。）の異方性及びその調整方法について説明する。
例えば、木製の板材２では、繊維方向が木製板材２の面２ａ，２ｂに平行する面内で一方向に延びている。このため、木製板材２は、木製板材２の面２ａ，２ｂに平行する面内で繊維方向に直交する方向（繊維直交方向）の曲げ剛性が繊維方向の曲げ剛性よりも低い異方性を有する。
【００１６】
次に、上記した木製板材２の異方性を調整する具体的な方法について説明する。
例えば、溝部３の無い木製板材２の異方性が、良好な音響特性を有する板材よりも小さい場合には、各溝部３の延在方向が繊維方向に平行するように複数の溝部３を木製板材２に形成すればよい。これにより、木製板材２の異方性を大きくすることができる。
また、例えば、溝部３の無い木製板材２の異方性が、良好な音響特性を有する板材よりも大きい場合には、各溝部３の延在方向が繊維方向に直交するように複数の溝部３を木製板材２に形成すればよい。これにより、木製板材２の異方性を小さくすることができる。
【００１７】
これにより、良好な音響特性を有さない安価な木製板材２の異方性を、良好な音響特性を有する板材の異方性に近づけることができる。すなわち、良好な音響特性を有する楽器用振動板１を容易かつ安価に得ることが可能となる。
また、ギター１０においては、木製板材２の異方性が大きい方がより良好な音響特性となる場合が多いため、複数の溝部３の形成によって異方性を大きくすることは特に有効である。
【００１８】
以上、本発明について詳細に説明したが、本発明は上記実施形態に限定されるものではなく、本発明の趣旨を逸脱しない範囲において種々の変更を加えることが可能である。
【００１９】
複数の溝部３は、例えば図３に示すように、板材２の両方の面２ａ，２ｂに形成されてもよい。この場合、一方の面２ａに形成される溝部３と、他方の面２ｂに形成される溝部３とは、例えば板材２の板厚方向に重なってもよいが、例えば図３のように互いに複数の溝部３の配列方向（Ｙ軸方向）にずらして位置してもよい。また、溝部３の深さ寸法や幅寸法は、例えば図３のように一方の面２ａと他方の面２ｂとで異なってもよいが、例えば互いに等しくてもよい。
【００２０】
複数の溝部３が板材２の両方の面２ａ，２ｂに形成される場合には、溝部３を一方の面２ａのみに形成する場合と比較して、板材２の直交方向（Ｙ軸方向）の曲げ剛性を大きく低下させることができる。すなわち、板材２の異方性を大きく変えることができる。
また、両方の面２ａ，２ｂに形成される複数の溝部３が互いに溝部３の配列方向にずらして位置する場合には、板材２が局所的に薄くなることを防止できる。したがって、板材２の強度が局所的に弱くなることを防止できる。
【００２１】
楽器用振動板１の板材２は、木製に限らず、例えば単純な樹脂（例えばエポキシ樹脂）等からなる等方性材料や、繊維強化樹脂（例えば炭素繊維強化樹脂（ＣＦＲＰ））等のように異方性が非常に大きい材料によって構成されてもよい。
例えば、等方性材料からなる板材２に複数の溝部３を形成した場合には、板材２に異方性を持たせることができる。この点について、図４のグラフを用いて具体的に説明する。
【００２２】
図４のグラフにおいて、横軸は、板材２の比曲げ剛性（溝部３の延在方向の曲げ剛性（Ｅｘ）を板材２の密度（ρ）で割ったもの）を示している。また、縦軸は、板材２の異方性（溝部３の延在方向の曲げ剛性（Ｅｘ）を複数の溝部３の配列方向の曲げ剛性（Ｅｙ）で割ったもの）を示している。また、異方性が１であることは、板材２が等方性である（異方性を有さない）ことを意味する。
さらに、図４のグラフにおいて、「溝無し」は溝部３を形成していない板材２のプロット点を、「片面に溝」は一方の面２ａのみに複数の溝部３を形成した板材２のプロット点を、「両面に溝」は両方の面２ａ，２ｂに複数の溝部３を形成した板材２のプロット点をそれぞれ示している。
【００２３】
図４のグラフによれば、溝部３のない板材２では、異方性を有さない、すなわち、複数の溝部３の配列方向の曲げ剛性が溝部３の延在方向の曲げ剛性と等しい。これに対し、面２ａ，２ｂに複数の溝部３を形成した板材２では、その異方性を大きくすることができる。具体的には、複数の溝部３の配列方向の曲げ剛性を溝部３の延在方向の曲げ剛性よりも低くすることができる。また、複数の溝部３を両方の面２ａ，２ｂに形成した板材２では、複数の溝部３を一方の面２ａのみに形成した板材２と比較して、異方性を大きくすることができる。
【００２４】
また、図４のグラフによれば、板材２のうち溝部３の延在方向の比曲げ剛性は、溝部３が無い板材２、一方の面２ａにのみ溝部３を形成した板材２、両方の面２ａ，２ｂに溝部３を形成した板材２の順番で、微小に減少しているだけである、すなわち、溝部３の有無によらず大きく変化しない。したがって、複数の溝部３を形成しても、溝部３の配列方向の曲げ剛性だけが低下し、溝部３の延在方向の曲げ剛性を維持することができる。この傾向は、樹脂からなる板材２に限らず、木製など他の材料からなる板材２であっても同様である。
【００２５】
また、複数の溝部３は、板材２の面２ａ，２ｂ全体に形成されることに限らず、例えば面２ａ，２ｂの一部領域にのみ形成されてもよい。この場合、板材２の一部領域のみの異方性を変えることができる。
具体的に説明すれば、複数の溝部３は、例えば図５に示すように、ギター１０の表板１２の一部領域のみに形成されてもよい。図５においては、複数の溝部３が表板１２のうち響孔１３との間にブリッジ１４を挟み込む領域Ａに形成されている。領域Ａは、ギター１０から放射される音のうち低音域の音響特性に影響しやすいため、この領域Ａの異方性を変えることで、低音域の音響特性を変えることができる。
【００２６】
また、配列方向（例えば図２，３においてＹ軸方向）に隣り合う溝部３同士は、例えば溝部３の延在方向の端部において互いに連結されてもよい。したがって、複数の溝部３は、例えば蛇行する一つの溝によって構成されてもよい。
【００２７】
本発明の楽器用振動板は、ギター１０の表板１２に限らず、例えばギター１０の裏板や側板に適用されてもよい。
また、本発明の楽器用振動板は、ギター１０に限らず、振動することで音の放射に寄与する板材を備える各種楽器に適用することが可能である。すなわち、本発明の楽器用振動板を備える楽器は、例えばヴァイオリン、ウクレレ、チェロ、ピアノ、カホンなどであってもよい。
【符号の説明】
【００２８】
１…楽器用振動板、２…板材、２ａ…一方の面、２ｂ…他方の面、３…溝部、１０…ギター（楽器）、１２…表板、１２ａ…内面、１２ｂ…外面
【図１】
2016173431.tif 000003
【図２】
2016173431.tif 000004
【図３】
2016173431.tif 000005
【図４】
2016173431.tif 000006
【図５】
2016173431.tif 000007